(57)【要約】【課題】画像データをファクシミリ受信しているときに受信エラーを回避できるファクシミリサーバ装置を提供する。【解決手段】ファクシミリサーバ装置２０は、画像データの画像を記録する画像記録装置であるプリンタ３を備え、画像データなどのファイルデータを格納するファイルメモリ７１を備えたファイルサーバ装置７０がＬＡＮ７０を介して接続される。ファクシミリサーバ装置２０の主制御部１は、画像データを受信したときにプリンタ３が使用できないとき（図４のステップ２でＹＥＳ）、上記受信した画像データをＬＡＮ７０を介してファイルサーバ装置７０に転送して格納する（ステップＳ８）ように制御する。【選択図】  図４
2004336610.tif 000002
【特許請求の範囲】
【請求項１】
画像データの画像を記録する画像記録装置を備え、画像データを格納するファイルサーバ装置が通信回線を介して接続されたファクシミリサーバ装置であって、画像データを受信したときに上記画像記録装置が使用できないとき、上記受信した画像データを上記通信回線を介してファイルサーバ装置に転送して格納するように制御する制御手段を備えたことを特徴とするファクシミリサーバ装置。
【請求項２】
上記ファクシミリサーバ装置は、受信した画像データを格納する画像記憶手段を備え、上記制御手段は、上記画像記憶手段が格納しているデータ容量が所定のしきい値以上となったとき、上記受信した画像データを上記通信回線を介してファイルサーバ装置に転送して格納するように制御することを特徴とする請求項１記載のファクシミリサーバ装置。
【請求項３】
上記制御手段は、上記画像記憶手段が格納しているデータ容量が所定のしきい値以上となったときに上記画像記録装置が使用可能な状態となったとき、上記ファイルサーバ装置に転送して格納した画像データを読み出して上記画像記録装置を用いて記録するように制御することを特徴とする請求項１又は２記載のファクシミリサーバ装置。
【請求項４】
上記ファクシミリサーバ装置は、画像を読み取って画像データに変換する画像読取手段を備え、上記制御手段は、上記画像記録装置が使用できないとき、上記画像読取手段により変換された画像データを画像記憶手段に格納するように制御することを特徴とする請求項１乃至３のうちのいずれか１つに記載のファクシミリサーバ装置。
【請求項５】
上記制御手段は、上記画像記録装置が使用可能な状態となりかつ上記格納した画像データが上記画像記憶手段にあるとき、上記画像記憶手段から当該画像データを読み出して上記画像記録手段を用いて記録するように制御することを特徴とする請求項１乃至４のうちのいずれか１つに記載のファクシミリサーバ装置。
【請求項６】
上記制御手段は、上記画像記録装置が使用可能な状態となりかつ上記格納した画像データが上記画像記憶手段にないとき、上記ファイルサーバ装置に転送して格納した画像データを読み出して上記画像記録装置を用いて記録するように制御することを特徴とする請求項１乃至５のうちのいずれか１つに記載のファクシミリサーバ装置。
【発明の詳細な説明】
【０００１】
【発明の属する技術分野】
本発明は、互いに通信回線を介して接続されたファクシミリサーバ装置とファイルサーバ装置とクライアント装置とを備えたファクシミリシステムのためのファクシミリサーバ装置に関する。
【０００２】
【従来の技術】
例えば、公衆電話回線などの通信回線に接続されファクシミリの送受信機能を有するファクシミリサーバ装置と、パーソナルコンピュータなどのクライアント装置とがローカルエリアネットワーク（以下、ＬＡＮという。）を介して接続してなるファクシミリシステムが実用化されている。この従来技術のファクシミリシステムでは、クライアント装置からファクシミリサーバ装置に対して画像データ及び送信先情報を送信することにより、ファクシミリサーバ装置は、画像データを通信回線を介して送信先に送信する一方、ファクシミリサーバ装置が画像データを受信したときは、画像データを所定のクライアント装置に送信することにより、クライアント装置は画像データを受信する。
【０００３】
この従来技術のファクシミリサーバ装置においては、Ｇ３ファクシミリの画像データや、電子メールを用いたインターネットファクシミリの画像データを受信して、クライアント装置等に配信処理を行うことができる。
【０００４】
【特許文献１】
特開平７−３３６４７１号公報。
【０００５】
【発明が解決しようとする課題】
この従来技術のファクシミリサーバ装置において、ファクシミリサーバ装置のプリンタを用いたプリント処理実行中に、ファクシミリの画像メモリを用いてファクシミリ受信することは可能であるが、最悪の状態においては、画像メモリの空きエリアがなくなり受信エラーとなることがあった（例えば、特許文献１の段落番号０００４参照。）。
【０００６】
本発明の目的は以上の問題点を解決し、画像データをファクシミリ受信しているときに受信エラーを回避できるファクシミリサーバ装置を提供することにある。
【０００７】
【課題を解決するための手段】
本発明に係るファクシミリサーバ装置は、画像データを記録する画像記録装置を備え、画像データを格納するファイルサーバ装置が通信回線を介して接続されたファクシミリサーバ装置であって、画像データを受信したときに上記画像記録装置が使用できないとき、上記受信した画像データを上記通信回線を介してファイルサーバ装置に転送して格納するように制御する制御手段を備えたことを特徴とする。
【０００８】
上記ファクシミリサーバ装置は、受信した画像データを格納する画像記憶手段を備え、上記制御手段は、上記画像記憶手段が格納しているデータ容量が所定のしきい値以上となったとき、上記受信した画像データを上記通信回線を介してファイルサーバ装置に転送して格納するように制御することを特徴とする。
【０００９】
また、上記ファクシミリサーバ装置において、上記制御手段は、上記画像記憶手段が格納しているデータ容量が所定のしきい値以上となったときに上記画像記録装置が使用可能な状態となったとき、上記ファイルサーバ装置に転送して格納した画像データを読み出して上記画像記録装置を用いて記録するように制御することを特徴とする。
【００１０】
さらに、上記ファクシミリサーバ装置は、画像を読み取って画像データに変換する画像読取手段を備え、上記制御手段は、上記画像記録装置が使用できないとき、上記画像読取手段により変換された画像データを画像記憶手段に格納するように制御することを特徴とする。
【００１１】
また、上記ファクシミリサーバ装置において、上記制御手段は、上記画像記録装置が使用可能な状態となりかつ上記格納した画像データが上記画像記憶手段にあるとき、上記画像記憶手段から当該画像データを読み出して上記画像記録手段を用いて記録するように制御することを特徴とする。
【００１２】
さらに、上記ファクシミリサーバ装置において、上記制御手段は、上記画像記録装置が使用可能な状態となりかつ上記格納した画像データが上記画像記憶手段にないとき、上記ファイルサーバ装置に転送して格納した画像データを読み出して上記画像記録装置を用いて記録するように制御することを特徴とする。
【００１３】
【発明の実施の形態】
以下、図面を参照して本発明に係る実施形態について説明する。
【００１４】
図１は、本発明に係る一実施形態である、ファクシミリサーバ装置２０及びクライアントパーソナルコンピュータ３０−１乃至３０−Ｎを備えたファクシミリシステムの構成を示すブロック図である。
【００１５】
この実施形態に係るファクシミリシステムは、複数Ｎ台のクライアントパーソナルコンピュータ（以下、クライアントＰＣと略す。）３０−１乃至３０−Ｎ（以下、総称して符号３０を付す。）と、公衆電話回線Ｌを介してそれぞれ公衆電話網８０に接続されたファクシミリサーバ装置２０と、メールサーバ装置５０と、画像データなどのファイルデータを格納するファイルメモリ７１を備えたファイルサーバ装置７０と、インターネット９０に接続されたルータ装置６０とがＬＡＮ７０を介して接続されて構成される。
【００１６】
この実施形態に係るファクシミリサーバ装置２０は、画像データの画像を記録する画像記録装置であるプリンタ３を備え、画像データなどのファイルデータを格納するファイルメモリ７１を備えたファイルサーバ装置７０がＬＡＮ７０を介して接続され、ファクシミリサーバ装置２０の主制御部１は、画像データを受信したときにプリンタ３が使用できないとき（図４のステップ２でＹＥＳ）、上記受信した画像データをＬＡＮ７０を介してファイルサーバ装置７０に転送して格納する（ステップＳ８）ように制御することを特徴としている。
【００１７】
上記ファクシミリサーバ装置２０において、ファクシミリ受信した画像データは、ページバッファメモリ９を介して画像メモリ８に格納されるが、主制御部１は、画像メモリ８が格納しているデータ容量が所定のしきい値以上となりメモリオーバーとなったとき（ステップＳ９でＹＥＳ）、上記受信した画像データをＬＡＮ７０を介してファイルサーバ装置７０に転送して格納する（図５のステップＳ１４）ように制御する。また、上記ファクシミリサーバ装置２０において、主制御部１は、画像メモリ８が格納しているデータ容量が所定のしきい値以上となりメモリオーバーとなったとき（ステップＳ９でＹＥＳ）にプリンタ３が使用可能な状態となったとき（ステップＳ１６でＮＯ）、ファイルサーバ装置７０に転送して格納した画像データを読み出してダウンロードし、プリンタ３を用いて記録する（ステップＳ１８）ように制御する。
【００１８】
さらに、ファクシミリサーバ装置２９は、画像を読み取って画像データに変換する画像読取手段であるイメージスキャナ２を備え、主制御部１は、プリンタ３を使用できないとき（図６のステップＳ２１でＹＥＳ）、イメージスキャナ２により変換された画像データを画像メモリ８に格納する（ステップＳ２３−Ｓ２４）ように制御する。また、ファクシミリサーバ装置２０において、主制御部１は、プリンタ３が使用可能な状態となり（ステップＳ２１でＮＯ）かつ上記格納した画像データが画像メモリ８にあるとき（ステップＳ２５でＹＥＳ）、画像メモリ８から当該画像データを読み出してプリンタ３を用いて記録する（ステップＳ２６）ように制御する。さらに、主制御部１は、プリンタ３が使用可能な状態となり（ステップＳ２１でＮＯ）かつ上記格納した画像データが画像メモリ３にないとき（ステップＳ２５でＮＯ）、ファイルサーバ装置７０に転送して格納した画像データを読み出してダウンロードし、プリンタ３を用いて記録する（ステップＳ２８−Ｓ２９）ように制御する。
【００１９】
図１において、メールサーバ装置５０は、クライアントＰＣや相手先のメールサーバ装置（図示せず。）からインターネット９０及びＬＡＮ７０を介して受信し、受信した電子メールがＭＩＭＥ形式で符号化された画像データを含むときは画像データを含む電子メールを保持する。インターネット９０経由で画像データを含む電子メールを送信するときは、クライアントＰＣ３０からメールサーバ装置５０、ルータ装置６０及びインターネット９０を介して相手先のメールサーバ装置に送信される。
【００２０】
図２は、図１のクライアントＰＣ３０の構成を示すブロック図である。図２において、クライアントＰＣ３０は、公知のパーソナルコンピュータであって、画像データや文字データの生成や記録などの処理を実行する。本実施形態においては、クライアントＰＣ３０は、一例として、ファクシミリの画像データを送信し又は受信する端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントＰＣ３０において、イメージスキャナ１０２及びプリンタ１０３はオプションで設けられ、イメージスキャナ１０２は、ＣＣＤ等を利用したスキャナで原稿を読み取り、白黒２値に変換したドットイメージデータを出力する。プリンタ１０３は例えば電子写真方式等の画像記録装置であり、他のファクシミリサーバ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントＰＣ３０の動作状態を表示したり、送信すべき原稿のイメージデータ、及び受信したイメージデータの表示を行う。操作部１０５は、例えばキーボードであり、文字データや指示コマンドを入力するためのものである。
【００２１】
ＲＯＭ１０６は、当該クライアントＰＣ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２２】
図３は、図１のファクシミリサーバ装置２０の構成を示すブロック図である。図３において、ファクシミリサーバ装置２０は、従来のＧ３方式等のファクシミリ通信機能、及び電子メールを用いたファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。表示部４は、液晶表示装置（ＬＣＤ）又はＣＲＴディスプレイ等の表示装置であり、当該ファクシミリサーバ装置２０の動作状態を表示したり、送信すべき原稿のイメージデータ、及び受信したイメージデータの表示を行う。操作部５は、当該ファクシミリサーバ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２３】
ＲＯＭ６は、当該ファクシミリサーバ装置２０の動作に必要であって主制御部１によって実行される種々のソフトウェアのプログラムを予め格納する。ここで、ＲＯＭ６は、少なくとも図４乃至図６のファクシミリ受信処理のプログラムを格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。さらに、ページバッファメモリ９は、例えば２ＭＢのメモリ容量を有し、ファックスモデム８を介してファクシミリ受信した画像データのページデータを一時的に格納した後、画像メモリ８に転送する。
【００２４】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２５】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２６】
以上のように構成されたファクシミリサーバ装置２０は、通常のＧ３方式等のファクシミリ通信機能、及び電子メールを用いたファクシミリ通信機能を有している。なお、画像メモリ８はイメージデータを必要に応じて記憶し、また逆に記憶しているイメージデータを必要に応じて出力する。また、ファクシミリサーバ装置２０は、上記配信先通知データに応答して、対応する画像データを上記配信先通知データで指示された配信先に配信し、ここで、配信方法は、公衆電話網Ｌを介するＩＴＵ−Ｔ勧告のＴ．３０の通信手順に基づくファクシミリ送信と、インターネット９０を介して電子メールを用いて画像データを送信するインターネットファクシミリ送信とを含む。
【００２７】
図１のファイルサーバ装置７０は、クライアントパーソナルコンピュータ３０と同様に構成され、特に、画像データなどのファイルデータを格納するハードディスクドライブにてなるファイルメモリ７１を備える。
【００２８】
図４乃至図６は図３のファクシミリサーバ装置２０の主制御部１によって実行されるファクシミリ受信処理を示すフローチャートである。なお、図４乃至図６において、「ファイルサーバ装置７０に転送する」とは、「ファイルサーバ装置７０に転送してそのファイルメモリ７１に格納すること」をいう。また、「ファイルサーバ装置７０から画像データを読み出してダウンロードする」とは、「ファイルサーバ装置７０のファイルメモリ７１から画像データを読み出してダウンロードすること」をいう。
【００２９】
図４のステップＳ１においてファクシミリの着呼があったか否かが判断され、ＹＥＳとなったとき、ステップＳ２においてプリンタ３は使用中か否か（使用可能であるか否か）が判断される。ここで、プリンタ３が使用中であるときは、使用不可能な状態であり、プリンタ３がトナー切れ、紙切れ、紙ジャムなどのトラブル状態も使用中とする（以下のステップＳ１６，Ｓ２１でも同様とする。）。ステップＳ２でＹＥＳのときはステップＳ３に進む一方、ＮＯのときはステップＳ７に進む。ステップＳ３において画像データをファクシミリ受信し、ページバッファメモリ９を介して画像メモリ８に格納し、ステップＳ４において画像メモリ８に格納した画像データの画像をプリンタ３を用いてプリントし、ステップＳ５において次のページのファクシミリ受信があるか否かが判断される。ステップＳ５において、ＹＥＳのときはステップＳ３に戻る一方、ＮＯのときはステップＳ６に進み、回線開放した後、当該ファクシミリ受信処理を終了する。
【００３０】
一方、ステップＳ７において画像データをファクシミリ受信し、ページバッファメモリ９を介して画像メモリ８に格納し、ステップＳ８において画像メモリ８に格納した画像データをファイルサーバ装置７０に転送し、ステップＳ９において画像メモリ８でメモリオーバーが発生したか否かが判断される。ここで、メモリーオーバーとは、例えば、画像メモリ８において格納している画像データが全体のメモリ容量の９５％以上となったとき、又は画像メモリ８において格納している画像データが所定のしきい値（例えば、全体のメモリ容量が４０ＭＢで、しきい値＝３８ＭＢ）以上となったとき、すなわち、実質的にメモリーオーバーとなる状態の寸前の状態も含む。ステップＳ９でＹＥＳのときはステップＳ１０に進む一方、ＮＯのときはステップＳ１１に進み、ステップＳ１１では、次のページのファクシミリ受信があるか否かが判断され、ＹＥＳのときはステップＳ７に戻る一方、ＮＯのときはステップＳ１２に進む。ステップＳ１２では回線開放した後、図６のステップＳ２１に進む。一方、ステップＳ１０では、画像メモリ８に格納し画像メモリ８からファイルサーバ装置７０に転送した画像データを画像メモリ８から削除した後、図５のステップＳ１３に進む。
【００３１】
図５のステップＳ１３において次のページのファクシミリ受信があるか否かが判断され、ＹＥＳのときはステップＳ１４に進む一方、ＮＯのときはステップＳ１５に進む。ステップＳ１４において画像データをファクシミリ受信し、ページバッファメモリ９に格納した後ファイルサーバ７０に転送した後、ステップＳ１３に戻る。一方、ステップＳ１５においては、回線開放した後、ステップＳ１６においてプリンタ３は使用中か否かが判断され、ＮＯとなったときに、ステップＳ１７においてファイルサーバ装置７０に転送した画像データをダウンロードして画像メモリ８に格納し、ステップＳ１８において画像メモリ８に格納した画像データの画像をプリンタ３を用いてプリントし、ステップＳ１９においてファイルサーバ装置７０にさらにファクシミリ受信の画像データがあるか否かが判断される。ステップＳ１９でＹＥＳのときはステップＳ１７に戻る一方、ＮＯのときはステップＳ２０に進む。ステップＳ２０においてプリントした画像データを画像メモリ８から削除し、当該ファクシミリ受信処理を終了する。
【００３２】
図６のステップＳ２１においてプリンタ３は使用中か否かが判断され、ＹＥＳのときはステップＳ２２に進む一方、ＮＯのときはステップＳ２５に進む。ステップＳ２２においてＰＣスキャンの指示信号（クライアントパーソナルコンピュータ３０からの、イメージスキャナ２の原稿台上の原稿画像を読み取って画像データに変換する指示信号をいう。）を受信したか否かが判断され、ＹＥＳのときはステップＳ２３に進む一方、ＮＯのときはステップＳ２１に戻る。ステップＳ２３において画像メモリ８内のファクシミリ受信した画像データを削除し、ステップＳ２４においてイメージスキャナ２を用いて原稿画像をＰＣスキャンして画像データに変換した後、画像メモリ８に格納した後、ステップＳ２１に戻る。
【００３３】
ステップＳ２５においてプリントすべき画像データが画像メモリ８にあるか否かが判断され、ＹＥＳのときはステップＳ２６に進む一方、ＮＯのときはステップＳ２８に進む。ステップＳ２６において画像メモリ８から画像データを読み出してその画像をプリンタ３を用いてプリントし、ステップＳ２７においてプリントした画像データを画像メモリ８から削除し、当該ファクシミリ受信処理を終了する。
【００３４】
一方、ステップＳ２８においてファイルサーバ装置７０に転送した画像データをダウンロードして画像メモリ８に格納し、ステップＳ２９において画像メモリ８に格納した画像データの画像をプリンタ３を用いてプリントし、ステップＳ３０においてファイルサーバ装置７０にさらにファクシミリ受信の画像データがあるか否かが判断される。ステップＳ３０でＹＥＳのときはステップＳ２８に戻る一方、ＮＯのときはステップＳ３１に進む。ステップＳ３１においてプリントした画像データを画像メモリ８から削除し、当該ファクシミリ受信処理を終了する。
【００３５】
以上説明したように、本実施形態によれば、ファクシミリサーバ装置２０の主制御部１は、画像データを受信したときにプリンタ３が使用できないとき（図４のステップ２でＹＥＳ）、上記受信した画像データをＬＡＮ７０を介してファイルサーバ装置７０に転送して格納する（ステップＳ８）ように制御する。従って、プリンタ３が使用中にファクシミリ受信した場合であっても、画像メモリ８がオーバーフローすることを回避することができ、これによりファクシミリのエラーを回避でき、受信した画像データを確実にプリントできる。
【００３６】
上記ファクシミリサーバ装置２０において、ファクシミリ受信した画像データは、ページバッファメモリ９を介して画像メモリ８に格納されるが、主制御部１は、画像メモリ８が格納しているデータ容量が所定のしきい値以上となりメモリオーバーとなったとき（ステップＳ９でＹＥＳ）、上記受信した画像データをＬＡＮ７０を介してファイルサーバ装置７０に転送して格納する（図５のステップＳ１４）ように制御する。従って、プリンタ３が使用中にファクシミリ受信した場合であっても、ファクシミリのエラーを回避でき、受信した画像データを確実にプリントできる。
【００３７】
また、上記ファクシミリサーバ装置２０において、主制御部１は、画像メモリ８が格納しているデータ容量が所定のしきい値以上となりメモリオーバーとなったとき（ステップＳ９でＹＥＳ）にプリンタ３が使用可能な状態となったとき（ステップＳ１６でＮＯ）、ファイルサーバ装置７０に転送して格納した画像データを読み出してダウンロードし、プリンタ３を用いて記録する（ステップＳ１８）ように制御する。従って、プリンタ３が使用中にファクシミリ受信した場合であっても、ファクシミリのエラーを回避でき、受信した画像データを確実にプリントできる。
【００３８】
さらに、ファクシミリサーバ装置２９は、画像を読み取って画像データに変換する画像読取手段であるイメージスキャナ２を備え、主制御部１は、プリンタ３を使用できないとき（図６のステップＳ２１でＹＥＳ）、イメージスキャナ２により変換された画像データを画像メモリ８に格納する（ステップＳ２３−Ｓ２４）ように制御する。従って、プリンタ３が使用中にクライアントパーソナルコンピュータ３０からのＰＣスキャンの指示信号を受信した場合であっても、原稿の画像データを画像メモリに格納できる。
【００３９】
また、ファクシミリサーバ装置２０において、主制御部１は、プリンタ３が使用可能な状態となり（ステップＳ２１でＮＯ）かつ上記格納した画像データが画像メモリ８にあるとき（ステップＳ２５でＹＥＳ）、画像メモリ８から当該画像データを読み出してプリンタ３を用いて記録する（ステップＳ２６）ように制御する。従って、プリンタ３が使用可能となったときに、画像データを画像メモリ８から読み出して確実にプリントできる。
【００４０】
さらに、主制御部１は、プリンタ３が使用可能な状態となり（ステップＳ２１でＮＯ）かつ上記格納した画像データが画像メモリ３にないとき（ステップＳ２５でＮＯ）、ファイルサーバ装置７０に転送して格納した画像データを読み出してダウンロードし、プリンタ３を用いて記録する（ステップＳ２８−Ｓ２９）ように制御する。従って、プリンタ３が使用可能となったときに、画像データをファイルサーバ装置７０から読み出して確実にプリントできる。
【００４１】
＜変形例＞
以上の実施形態においては、ファクシミリサーバ装置２０の例について述べているが、本発明はこれに限らず、公衆電話網又は公衆デジタル回線網などの公衆網やインターネットに接続された、例えば電話機、データ通信装置、サーバ装置、イメージスキャナ、ファクシミリ及びプリンタ付きの複合機などを含む通信端末装置に適用することができる。
【００４２】
【発明の効果】
以上詳述したように本発明に係るファクシミリサーバ装置によれば、画像データを記録する画像記録装置を備え、画像データを格納するファイルサーバ装置が通信回線を介して接続されたファクシミリサーバ装置であって、画像データを受信したときに上記画像記録装置が使用できないとき、上記受信した画像データを上記通信回線を介してファイルサーバ装置に転送して格納するように制御する制御手段を備える。従って、画像記録装置が使用中にファクシミリ受信した場合であっても、画像データを格納する画像記憶手段がオーバーフローすることを回避することができ、これによりファクシミリのエラーを回避でき、受信した画像データを確実にプリントできる。
【００４３】
上記ファクシミリサーバ装置は、受信した画像データを格納する画像記憶手段を備え、上記制御手段は、上記画像記憶手段が格納しているデータ容量が所定のしきい値以上となったとき、上記受信した画像データを上記通信回線を介してファイルサーバ装置に転送して格納するように制御する。従って、画像記録装置が使用中にファクシミリ受信した場合であっても、ファクシミリのエラーを回避でき、受信した画像データを確実にプリントできる。
【００４４】
また、上記ファクシミリサーバ装置において、上記制御手段は、上記画像記憶手段が格納しているデータ容量が所定のしきい値以上となったときに上記画像記録装置が使用可能な状態となったとき、上記ファイルサーバ装置に転送して格納した画像データを読み出して上記画像記録装置を用いて記録するように制御する。従って、画像記録装置が使用中にファクシミリ受信した場合であっても、ファクシミリのエラーを回避でき、受信した画像データを確実にプリントできる。
【００４５】
さらに、上記ファクシミリサーバ装置は、画像を読み取って画像データに変換する画像読取手段を備え、上記制御手段は、上記画像記録装置が使用できないとき、上記画像読取手段により変換された画像データを画像記憶手段に格納するように制御する。従って、画像記録装置が使用中にクライアント装置からのＰＣスキャンの指示信号を受信した場合であっても、原稿の画像データを画像メモリに格納できる。
【００４６】
また、上記ファクシミリサーバ装置において、上記制御手段は、上記画像記録装置が使用可能な状態となりかつ上記格納した画像データが上記画像記憶手段にあるとき、上記画像記憶手段から当該画像データを読み出して上記画像記録手段を用いて記録するように制御する。従って、画像記録装置が使用可能となったときに、画像データを画像記憶手段から読み出して確実にプリントできる。
【００４７】
さらに、上記ファクシミリサーバ装置において、上記制御手段は、上記画像記録装置が使用可能な状態となりかつ上記格納した画像データが上記画像記憶手段にないとき、上記ファイルサーバ装置に転送して格納した画像データを読み出して上記画像記録装置を用いて記録するように制御する。従って、画像記録装置が使用可能となったときに、画像データをファイルサーバ装置から読み出して確実にプリントできる。
【図面の簡単な説明】
【図１】本発明に係る一実施形態である、ファクシミリサーバ装置２０、ファイルサーバ装置７０及びクライアントパーソナルコンピュータ３０−１乃至３０−Ｎを備えたファクシミリシステムの構成を示すブロック図である。
【図２】図１のクライアントパーソナルコンピュータ３０の構成を示すブロック図である。
【図３】図１のファクシミリサーバ装置２０の構成を示すブロック図である。
【図４】図３のファクシミリサーバ装置２０の主制御部１によって実行されるファクシミリ受信処理の第１の部分を示すフローチャートである。
【図５】図３のファクシミリサーバ装置２０の主制御部１によって実行されるファクシミリ受信処理の第２の部分を示すフローチャートである。
【図６】図３のファクシミリサーバ装置２０の主制御部１によって実行されるファクシミリ受信処理の第３の部分を示すフローチャートである。
【符号の説明】
１…主制御部、
２…イメージスキャナ、
３…プリンタ、
４…表示部、
５…操作部、
６…ＲＯＭ、
７…ＲＡＭ、
８…画像メモリ、
９…ページバッファメモリ、
１０…ファックスモデム、
１１…ＮＣＵ、
１２…ＬＡＮインターフェース、
１３…バス、
２０…ファクシミリサーバ装置、
３０，３０−１乃至３０−Ｎ…クライアントパーソナルコンピュータ（クライアントＰＣ）、
５０…メールサーバ装置、
６０…ルータ装置、
７０…ファイルサーバ装置、
７１…ファイルメモリ、
８０…公衆電話網、
９０…インターネット、
１０１…主制御部、
１０２…イメージスキャナ、
１０３…プリンタ、
１０４…表示部、
１０５…操作部、
１０６…ＲＯＭ、
１０７…ＲＡＭ、
１０８…ハードディスクドライブ、
１１２…ＬＡＮインターフェース、
１１３…バス、
Ｌ…公衆電話回線。
【図１】
2004336610.tif 000003
【図２】
2004336610.tif 000004
【図３】
2004336610.tif 000005
【図４】
2004336610.tif 000006
【図５】
2004336610.tif 000007
【図６】
2004336610.tif 000008